【事件の表示】
　特願２００５−１８６６９９「画像形成装置および方法、並びに電子文書作成装置および方法」拒絶査定不服審判事件〔平成１７年１１月１０日出願公開、特開２００５−３１８６５４〕について、次のとおり審決する。
【結　論】
　本件審判の請求は，成り立たない。
【理　由】
第１　手続きの経緯
　本願は，平成９年１２月２７日に出願した特願平９−３６９０４８号の一部を平成１７年６月２７日に新たな特許出願としたものであって，平成１９年３月９日付けで拒絶査定がされ，これに対して同年４月１２日に拒絶査定不服審判が請求されたものであって，審判合議体により平成２０年７月１７日付けで拒絶理由が通知され，これに対し，同年９月２２日付けで意見書が提出されるとともに，同日付で手続補正書が提出されたものである。
　
第２　本願発明
　本願の特許請求の範囲の請求項１ないし２０に係る発明は，平成２０年９月２２日付け手続補正書により補正された明細書及び図面の記載からみて，その特許請求の範囲の請求項１ないし２０に記載されたものと認められるところ，その請求項１６は以下のように記載されている。
　
「　【請求項１６】
　コンピュータとネットワークを介して情報を送受信できるネットワーク手段を有する電子文書作成装置の電子文書作成方法であって，
　前記ネットワーク手段を介して前記コンピュータから受信されるページ記述言語で記述された情報から第１の画像を生成する画像生成ステップと，
　原稿文書の第２の画像を光学的に読み取る画像読み取りステップと，
　前記画像読み取りステップで読み取られた原稿文書の第２の画像に関する情報と前記画像生成手段により生成された第１の画像に関する情報との両方を含む画像の一覧を示す一覧電子文書を作成する一覧電子文書作成ステップと，
　前記一覧電子文書作成ステップで作成された一覧電子文書を前記ネットワーク手段介して前記コンピュータに提供する提供ステップと，
　前記提供ステップで提供された一覧電子文書に基づいて前記コンピュータに表示された前記電子文書の一覧からユーザにより選択された画像の印刷を行う印刷ステップとを有することを特徴とする電子文書作成方法。」
　
　当該請求項１６には「前記画像生成手段」なる記載があるが，当該記載以前には「画像生成手段」なるものは記載されておらず，「前記画像生成手段」がどのようなものであるか，明りょうではない。しかし，当該「画像生成手段」以前に「画像生成ステップ」なる記載があり，また当該発明が「方法」に関する発明であることをかんがみれば，「前記画像生成手段」との記載は，「前記画像生成ステップ」の誤記と認められる。したがって，請求項１６に記載された発明（以下，「本願発明」という。）は，次のとおりのものと認められる。
　
　コンピュータとネットワークを介して情報を送受信できるネットワーク手段を有する電子文書作成装置の電子文書作成方法であって，
　前記ネットワーク手段を介して前記コンピュータから受信されるページ記述言語で記述された情報から第１の画像を生成する画像生成ステップと，
　原稿文書の第２の画像を光学的に読み取る画像読み取りステップと，
　前記画像読み取りステップで読み取られた原稿文書の第２の画像に関する情報と前記画像生成ステップにより生成された第１の画像に関する情報との両方を含む画像の一覧を示す一覧電子文書を作成する一覧電子文書作成ステップと，
　前記一覧電子文書作成ステップで作成された一覧電子文書を前記ネットワーク手段介して前記コンピュータに提供する提供ステップと，
　前記提供ステップで提供された一覧電子文書に基づいて前記コンピュータに表示された前記電子文書の一覧からユーザにより選択された画像の印刷を行う印刷ステップとを有することを特徴とする電子文書作成方法。
　
第３　引用例
　審判合議体により通知された拒絶理由で引用された特開平９−２３１０２２号公報（以下，「引用例１」という。）には，図面とともに以下の事項が記載されている。（記載箇所は段落番号等で表示）
　
　ア　「【０００１】
【発明の属する技術分野】本発明は遠隔印刷システムの文書蓄積装置に関し，特に文書閲覧装置からの閲覧要求に従って蓄積された文書を印刷前に利用者に提供し，文書閲覧装置では印刷イメージの表示（印刷プレビュー）に基づいた印刷条件の指定が可能な遠隔印刷システムの文書蓄積装置に関する。」
　
　イ　「【００２５】図２はサーバクライアントシステムの構成例を示すブロック図である。図示のサーバクライアントシステムは，ユーザの端末であるクライアント１０と，ファイルサーバ２０と，プリントサーバ３０と，これらを接続したＬＡＮ（Ｌｏｃａｌ  Ａｒｅａ  Ｎｅｔｗｏｒｋ），ＷＡＮ（Ｗｉｄｅ  Ａｒｅａ  Ｎｅｔｗｏｒｋ）と呼ばれるネットワーク４０とによって構成されている。クライアント１０は文書閲覧装置として機能するもので，ネットワーク上に複数存在するが，図示の例では１つのみを示してある。
【００２６】クライアント１０は閲覧要求送信部１１および文書受信部１２から構成され，閲覧要求送信部１１にはキーボードまたはマウスなどのポインティングデバイスからなる入力装置１３が接続され，文書受信部１２には表示装置１４が接続されている。また，閲覧要求送信部１１および文書受信部１２はそれぞれネットワーク４０に接続されている。
【００２７】ファイルサーバ２０は，ネットワーク４０に接続された閲覧要求受信部２１と，受信した閲覧要求を解析する閲覧対象判別部２２と，判別された閲覧対象を取得する文書取得部２３と，あらかじめ作成された電子文書を蓄積しておくファイル格納部２４と，取得された文書に対して閲覧対象判別部２２で解析された指定のフォーマットに加工する文書加工部２５と，閲覧対象判別部２２で解析されたページ情報を基に隣接ページの情報を生成する参照情報生成部２６と，文書加工部２５にて加工された文書データに参照情報生成部２６にて生成された参照情報を埋め込んだ応答データを作成する応答フォーマット合成部２７と，閲覧対象判別部２２で判別されたアドレス情報から応答データの送信先を判定する送信先判定部２８と，応答データを判定された送信先に送信する文書送信部２９とから構成されている。閲覧対象判別部２２はさらに，閲覧要求から対象ファイルの所在情報を抽出する所在抽出部２２ａと，閲覧要求から要求した処理内容を指示した拡張部分を抽出する拡張部抽出部２２ｂとから構成されている。ファイルサーバ２０は，また，文書加工部２５で加工された画像データを受けるファクシミリ送信部５０を備え，その出力は公衆回線４５に接続されている。ファイルサーバ２０は，さらに，一般アプリケーションソフトウェア６１と擬似プリンタドライバ６２とから構成された文書作成部６０が備えられている。なお，この文書作成部６０はファイルサーバ２０に搭載されている場合を例示したが，一般アプリケーションソフトウェア６１が動作する環境であれば，ネットワーク４０上の任意のクライアントにあってよい。
【００２８】プリントサーバ３０は，ネットワーク４０に接続されて転送された印刷用画像データを受ける印刷情報受信部３１を備えている。この印刷情報受信部３１は受けた印刷用画像データをプリンタ３２に出力するよう接続されている。
【００２９】クライアント１０は，具体的には，たとえばインターネットのＷＷＷサーバにアクセスできる文書閲覧ソフトウェア（ＷＷＷブラウザ）を搭載したパソコンまたはワークステーションである。このクライアント１０において，ユーザがそのソフトウェアを起動し，ＨＴＴＰ（Ｈｙｐｅｒ  Ｔｅｘｔ  ＴｒａｎｓｆｅｒＰｒｏｔｏｃｏｌ），ＦＴＰ（Ｆｉｌｅ  Ｔｒａｎｓｆｅｒ  Ｐｒｏｔｏｃｏｌ）と呼ばれる指定のプロトコルでＵＲＬ（Ｕｎｉｆｏｒｍ  ＲｅｓｏｕｒｃｅＬｏｃａｔｏｒ）と呼ばれる所在識別名称をＷＷＷサーバとするファイルサーバ２０に送ると，応答として返されるデータを表示し，その上で参照情報を操作することにより，再びファイルサーバに所在識別名称を送ることを繰り返して，インターネットに接続された数多くのファイルサーバの情報を閲覧・取得することができる。
【００３０】参照情報は，クライアント１０が受け取る表示用データの一部に含まれるもので，文字範囲または領域指定の情報と閲覧要求発行に必要な情報（本例では隣接ページ情報）とを備え，入力装置１３によってその特定の表示領域が指示された時に，そこに含まれた情報による閲覧要求が発行される。この参照情報は，ＷＷＷのＨＴＭＬ文法用語で言えば，「ＵＲＬを含むアンカータグ」である。
【００３１】閲覧要求は，閲覧要求送信部１１と閲覧要求受信部２１とが解釈できる，通信プロトコルである。たとえば，ＷＷＷの場合，交換する内容はＵＲＬと呼ばれ，プロトコル種別，ＷＷＷサーバの名前（ネットワークアドレス）指定および閲覧したいファイルの所在指定を結合した文字列，たとえば，
「http://www.fx.co.jp/dir1/dir2/index.htm 」
を交換する。
【００３２】ファイルサーバ２０は，インターネットでＷＷＷサーバと呼ばれる機構を指している文書蓄積装置であって，一般のＵｎｉｘ（Ｘ／Ｏｐｅｎ  Ｃｏ.,  Ｌｔｄ．がライセンスしている米国およびその他の国における登録商標），Ｗｉｎｄｏｗｓ，ＷｉｎｄｏｗｓＮＴ（いずれも米国Ｍｉｃｒｏｓｏｆｔ社の登録商標）などのディレクトリ型ファイルシステムとネットワーク通信機能とを備えるオペレーティングシステムの上の常駐プログラムとして動作する。クライアント１０からアクセス要求が届くと，ファイル格納部２４の所定のディレクトリに格納されたＨＴＭＬ形式のデータファイルの中から，指定されたファイルを，要求のあったクライアント１０に対して送り返す。」
　
　ウ　「【００３５】疑似プリンタドライバ６２は，一般アプリケーションソフトウェア６１が印刷処理時に発行する印刷制御コマンドを受け取り，このコマンドをページ単位でまとめて１種類以上の画像データを作成し，この画像データをまとめてページレコードを構成し，ページを集めて後述する特定のフォーマットで出力する装置である。すなわち，この疑似プリンタドライバ６２は，一般アプリケーションソフトウェア６１が印刷処理で発行するＧＤＩコマンド（描画関数）をドライバインタフェースで受け取り，その情報からたとえば，ＰＤＬ（ページ記述言語）や一般的な画像フォーマット情報に変換し，通常のプリンタドライバがプリンタに送信する処理の代わりに，ファイル化し，電子文書としてファイル格納部２４に保存する機能を有するものである。この疑似プリンタドライバ６２は，たとえば特願平７−１１７７３３号明細書に記載の文書処理装置を利用することができる。この文書処理装置は，あたかも紙媒体の文書を貼り合わせるかの如く電子的な複合文書を作成し，作成された複合文書を紙媒体の文書の如く電子的に取り扱えるようにしたもので，文書作成アプリケーションソフトウェアに依存したデータと文書作成アプリケーションソフトウェアに依存しない表示用のデータと各文書要素間の合成位置に関する関係データとを作成し，ページ単位の複数種類の画像データの集合にして記憶手段に保持するものである。」
　
　エ　「【００４７】次に，上記のステップＳ５３以降の各処理の詳細について説明するが，その前に文書作成部６０にて作成され，ファイル格納部２４に格納されている電子文書について先に説明しておく。
【００４８】図９は文書作成装置が出力する電子文書のデータフォーマットを示す図である。この図において，電子文書は，プロファイル部７１と，ページ部７２と，文書データ部７３とから構成される。プロファイル部７１には，どのページにも共通した属性，たとえばインデックス情報，ページ数属性などが記述されている。ページ部７２は各ページ単位のレコードで構成される。さらに，ページ部７２には複数の画像フォーマットによる画像データＰＤを複数格納することができる。ここで，ＰＤ１−ｘ，ＰＤ２−ｘ，ＰＤ３−ｘ（ｘは１，２，３・・・）は各ページの画像データレコードを示す。また，ＰＤｙ−ｚ（ｙはページ数，ｚは１，２，３・・・）で表されるｚは画像フォーマットの種類を示したもので，具体的には，たとえば，ラスタイメージ画像系では，ペイント系ソフトウェア用イメージ，ＭＭＲ圧縮イメージであるＧ３ファックス交換用イメージ，イメージスキャナやデジタル複写機が生成するスキャンイメージなどがあり，そのペイント系ソフトウェア用イメージとしては，ＨＴＭＬで標準的なビットマップフォーマットや，ウインドウズ環境で扱えるフォーマットなど多数のフォーマットがある。また，ベクタ画像系（文字コード，図形要素，イメージ，描画属性の集合）では，ウインドウズ環境での図形交換標準フォーマットであるＷＭＦ（ＷｉｎｄｏｗｓＭｅｔａ  Ｆｉｌｅ）やＥＷＭＦ（Ｅｎｈａｎｃｅｄ  ＷＭＦ），主にマッキントッシュ（Ｍａｃｉｎｔｏｓｈは米国Ａｐｐｌｅ  Ｃｏｍｐｕｔｅｒ  Ｉｎｃ．の商標）などで使われる図形交換標準フォーマットのＰＩＣＴ，図形交換用ＩＳＯ標準であるＣＧＭ（Ｃｏｍｐｕｔｅｒ  Ｇｒａｐｈｉｃ  Ｍｅｔａｆｉｌｅ），米国アドビシステムズ社が提唱するビューア「Ａｃｒｏｂａｔ」用フォーマットのＰＤＦ，ＥＰＳＦ（Ｅｎｃａｐｓｕｌａｔｅｄ  ＰｏｓｔＳｃｒｉｐｔ  Ｆｏｒｍａｔ）などがある。さらに，プリンタ印刷用記述言語系では，米国アドビシステムズ社が規定する代表的なＰＤＬのＰｏｓｔＳｃｒｉｐｔ（米国アドビシステムズ社の商標）がある。このページ部７２には，閲覧用の画像データ，ページ単位の印刷用画像データが上記に代表される標準フォーマットの中から選択されたフォーマットで格納される。そして，文書データ部７３には，全ページの印刷コマンドを含む印刷用画像データおよびこの電子文書を作成したアプリケーションソフトウェア指定のフォーマットによるデータファイルが文書レコードとして格納されれている。」
　
　オ　「【００５６】図１３は遠隔印刷処理の流れを示すフローチャートである。閲覧要求に遠隔印刷要求が含まれていた場合，たとえば閲覧要求に，プリントサーバアドレスとともに「ｒ−ｐｒｉｎｔ」が指定されていた場合には，閲覧対象の電子文書ファイルをオープンし（ステップＳ１１１），文書データ部の文書全体の印刷画像データＰＤを読み込む（ステップＳ１１２）。通常は，全ページの印刷を要求する場合が多いので，文書データ部に格納されている文書全体の画像データ（たとえば，ＰｏｓｔＳｃｒｉｐｔによるＰＤＬデータ）を読み込むが，特定のページまたはページ範囲の印刷が要求された場合には，電子文書のページ部からここに格納されている該当ページの印刷画像データを読み込む。また，必要なら，閲覧要求にカラー・解像度・フォーマットなどの印刷品質の指定をすることもできるので，その場合は，読み込まれた文書全体または指定ページの画像データは要求に応じて加工される。次に，閲覧要求に指定されていたプリントサーバアドレスのプリントサーバにおける印刷情報受信部に対して印刷画像データＰＤを送信する（ステップＳ１１３）。そして，クライアントに送信可否の結果を伝える応答用文書データを作成する（ステップＳ１１４）。」
　
　カ　「【００６０】その後，応答フォーマット合成部２７において，応答用のデータフォーマットに加工する処理を行う。この処理は閲覧用イメージファイルの指定および前後ページに対する参照情報からクライアントが解釈できる汎用的な交換フォーマットを作成するものである。
【００６１】たとえば，文書加工部２５において，閲覧要求「Ａ．ｍｐ？ｐ３＋ＪＰＧ」に対して指定ページイメージ抽出処理が行われて，「Ａ．ＭＰ−ｐ３．ＪＰＧ」というビットマップフォーマットのページイメージの画像データが作成され，一方，参照情報生成部２６では前ページ（ｎ＝２），後ページ（ｎ＝４）が決定されて，それぞれ応答フォーマット合成部２７に入力される。応答フォーマット合成部２７では，入力された情報を基にたとえば，以下のような所定の汎用交換フォーマットを生成する。
【００６２】図１６は応答用データフォーマットの生成例を示す図である。図示の応答用データフォーマットは，ＷＷＷのＨＴＭＬという文法で記述された例であり，テキストファイルで生成される。このテキストファイルによれば，タグ＜ＴＩＴＬＥ＞および＜／ＴＩＴＬＥ＞によって囲まれた文字列が，クライアント１０の表示装置１４における閲覧ウインドウのタイトル欄に表示されることを示している。タグ＜ＢＯＤＹ＞および＜／ＢＯＤＹ＞で囲まれた部分が本文の記述であって，まず，閲覧要求に対して加工生成されたページイメージ，すなわち，指定文書ファイル「Ａ．ＭＰ」の３ページ目のビットマップフォーマットのイメージを表示させることを示している。次の２行が，参照情報が埋め込まれた部分であって，
＜Ａ  ＨＲＥＦ＝”参照先”＞  表示文字列  ＜／Ａ＞
の形式で記述される。上の記述が文書閲覧装置で実行された場合，表示された「表示文字列」を指示することで参照内容「参照先」の参照が行われる。したがって，クライアント側では，「前ページ」という文字列を表示し，その文字列を入力装置１３で指示した場合には，文書ファイル「Ａ．ＭＰ」およびページ番号（２ページ目）を指定した閲覧要求が発行される。また，「次ページ」という文字列が表示され，その文字列が入力装置１３で指示された場合には，文書ファイル「Ａ．ＭＰ」およびページ番号（４ページ目）を指定した閲覧要求が発行されることになる。」
　
　以上のことから，引用例１には，
　
　クライアントと，ファイルサーバと，プリントサーバ及びこれに接続されたプリンタと，これらを接続したネットワークとによって構成される遠隔印刷システムにおけるファイルサーバにおいて，
　イメージスキャナやデジタル複写機が生成するスキャンイメージや，ＰＤＬ（ページ記述言語）などのデータフォーマットで電子文書を作成する文書作成部と，
　ネットワークに接続された閲覧要求受信部と，受信した閲覧要求を解析する閲覧対象判別部と，判別された閲覧対象を取得する文書取得部と，前記作成された電子文書を蓄積しておくファイル格納部と，取得された文書に対して閲覧対象判別部で解析された指定のフォーマットに加工する文書加工部と，閲覧対象判別部で解析されたページ情報を基に隣接ページの情報を生成する参照情報生成部と，文書加工部にて加工された文書データに参照情報生成部にて生成された参照情報を埋め込んだ，ＷＷＷのＨＴＭＬという文法で記述された応答データを作成する応答フォーマット合成部と，応答データを送信する文書送信部とを有し，
　インターネットのＷＷＷサーバにアクセスできる文書閲覧ソフトウェア（ＷＷＷブラウザ）を搭載したパソコンであるクライアントから，ファイルサーバ内に蓄積された電子文書ファイルを指定した閲覧要求が行われ，当該閲覧要求に遠隔印刷要求が含まれていた場合，閲覧対象の電子文書をオープンし，印刷画像データを読み込み，前記プリントサーバに前記印刷画像データを送信し，前記プリンタに出力するものであって，
　前記文書作成部は，ネットワーク上の任意のクライアントにあってもよいものとした
　ファイルサーバ。
　
の発明（以下，「引用発明」という。）が記載されていると認められる。
　
　同じく，審判合議体により通知された拒絶理由で引用された特開平９−２３３２４３号公報（以下，「引用例２」という。）には次の事項が図面と共に開示されている。（記載箇所は段落番号等で表示）
　
　キ　「【０００４】
【課題を解決するための手段】上記の目的を達成するために本発明によるネットワークスキャナ装置は，請求項１では，ＨＴＴＰプロトコルを使用したサーバプロセスによって，ネットワークを介し，ＷＷＷのブラウザと接続されるネットワークスキャナサーバ部を有し，上記ＷＷＷのブラウザまたはヘルパーによってパラメータ設定画面上で設定されたパラメータに基づき，スキャン動作で得られたイメージデータを上記ネットワーク上に送出して，上記ＷＷＷのブラウザに送ることを特徴としている。請求項２では，ＨＴＴＰプロトコルを使用したサーバプロセスによって，ネットワークを介し，ＷＷＷのブラウザと接続されるネットワークスキャナサーバ部を有し，上記ＷＷＷのブラウザまたはヘルパーによってパラメータ設定画面上で，スキャン動作で得られたイメージデータを蓄積し，クリッカブルマップを作成しないパラメータが設定されているとき，スキャン動作で得られたイメージデータを蓄積した後，蓄積しているイメージデータのファイルリストを作成し，これを上記ネットワーク上に送出して，上記ＷＷＷのブラウザに送り，ＷＷＷのブラウザ側で，ファイルリスト上のファイルが選択されたとき，蓄積しているイメージデータのうち，選択されたイメージデータを上記ネットワーク上に送出して，上記ＷＷＷのブラウザに送ることを特徴としている。請求項３では，ＨＴＴＰプロトコルを使用したサーバプロセスによって，ネットワークを介し，ＷＷＷのブラウザと接続されるネットワークスキャナサーバ部を有し，上記ＷＷＷのブラウザまたはヘルパーによってパラメータ設定画面上で，スキャン動作で得られたイメージデータを蓄積し，クリッカブルマップを作成するパラメータが設定されているとき，スキャン動作で得られたイメージデータを蓄積した後，蓄積しているイメージデータのクリッカブルマップを作成し，これを上記ネットワーク上に送出して，上記ＷＷＷのブラウザに送り，ＷＷＷのブラウザ側で，クリッカブルマップ上のファイルが選択されたとき，蓄積しているイメージデータのうち，選択されたイメージデータを上記ネットワーク上に送出して，上記ＷＷＷのブラウザに送ることを特徴としている。」
　
　ク　「【０００８】＜イメージを蓄積し，クリッカブルマップを作成しないときの動作＞パラメータ設定画面６によってイメージを蓄積することが選択されるとともに，クリッカブルマップを使用しないことが選択されていれば，スキャンボタンが押されたとき，スキャナ制御部４によってスキャナ機構が制御されて原稿がスキャンされ，これによって得られたイメージデータがパラメータ設定画面６によって指定された画像フォーマットでデータ格納部５にセーブされる。この後，ネットワークスキャナサーバ部３によって上記データ格納部５にセーブされている各イメージデータのファイル名称などが読み出されて，図３に示す如く示すファイルリスト７が作成され，これがＨＴＭＬ形式のファイルリストデータ（ＨＴＴＰプロトコル上のメール）として，ＷＷＷのブラウザに転送される。このブラウザによってマウスなどのポインティングデバイスが使用されて上記ネットワークスキャナ装置１から転送された上記ファイルリスト７の中から転送して貰いたいファイルが選択（クリック）されれば，ネットワークスキャナサーバ部３によって，データ格納部５に格納されている各ファイルのうち，上記ブラウザ側で指定されたファイルが読み出されて，これがＷＷＷのブラウザに転送され，このブラウザまたはまたはヘルパーによってイメージデータが画面表示されたり，ファイルとしてセーブされたりする。
【０００９】＜イメージを蓄積し，クリッカブルマップを作成するときの動作＞パラメータ設定画面６によってイメージを蓄積することが選択されるとともに，クリッカブルマップを使用することが選択されていれば，スキャンボタンが押されたとき，スキャナ制御部４によってスキャナ機構が制御されて，原稿がスキャンされ，これによって得られたイメージデータがパラメータ設定画面６によって指定された画像フォーマットでデータ格納部５にセーブされる。この後，ネットワークスキャナサーバ部３によって上記データ格納部５にセーブされている各イメージデータの縮小イメージデータが作成されて，図４に示すようなクリッカブルマップ８が作成され，これがＨＴＭＬ形式のクリッカブルマップデータとして，ＷＷＷのブラウザに転送される。このブラウザによってマウスなどのポインティングデバイスが使用されて上記ネットワークスキャナ装置１から転送された上記クリッカブルマップ８で表示されている各ファイルのうち，転送して貰いたいファイルが選択（クリック）されれば，ネットワークスキャナサーバ部３によって，データ格納部５に格納されている各ファイルのうち，上記ブラウザ側で指定されたファイルが読み出されて，これがＷＷＷのブラウザに転送され，このブラウザまたはまたはヘルパーによってイメージデータが画面表示されたり，ファイルとしてセーブされたりする。」
　
第３　対比
　本願発明と引用発明とを対比する。
　引用発明の「クライアント」は，パソコンであるから，本願発明の「コンピュータ」に相当する。
　引用発明の「閲覧要求」や「応答データ」は，本願発明の「情報」に含まれるものである。
　そして，引用発明の「閲覧要求受信部」，「文書送信部」は，クライアントとネットワークを介して，それぞれ閲覧要求の受信，応答データの送信を行うものであるから，本願発明の「コンピュータとネットワークを介して情報を送受信できるネットワーク手段」に相当する。
　引用発明の「ファイルサーバ」は，閲覧要求受信部や文書送信部の他，電子文書を作成する文書作成部を搭載するものであるから，本願発明の「電子文書作成装置」と呼称することができるものである。
　したがって，引用発明と本願発明とは，「コンピュータとネットワークを介して情報を送受信できるネットワーク手段を有する電子文書作成装置」である点で共通する。
　
　引用発明の「文書加工部」，「参照情報生成部」及び「応答フォーマット合成部」は，文書作成部が作成したスキャンイメージや，ＰＤＬ（ページ記述言語）などのデータフォーマットで作成された電子文書から，「応答データ」を作成するものであって，このうち，「ＰＤＬ（ページ記述言語）」の「データフォーマットで作成された電子文書」及び当該電子文書から作成される「応答データ」は，それぞれ，本願発明の「ページ記述言語で記述された情報」及び当該情報から生成される「第１の画像」に相当する。
　したがって，引用発明と本願発明とは，「ページ記述言語で記述された情報から第１の画像を生成する」機能の点で共通する。
　
　引用発明の「スキャンイメージ」は，ＰＤＬ（ページ記述言語）とは異なるイメージスキャナやデジタル複写機が生成するデータフォーマットであるから，本願発明の「第２の画像」に相当するものといえる。
　
　引用発明は，文書作成部が作成したスキャンイメージや，ＰＤＬ（ページ記述言語）などのデータフォーマットの電子文書ファイルを，ユーザがクライアントから指定し，それをプリンタに出力するものであるから，引用発明と本願発明とは，第２の画像と第１の画像との両方を含む画像から，コンピュータにおいて，ユーザより選択された画像の印刷を行う機能の点で共通するものといえる。
　
　以上を踏まえると，両者の一致点，相違点は以下のとおりである。
　
【一致点】
　コンピュータとネットワークを介して情報を送受信できるネットワーク手段を有する電子文書作成装置であって，
　ページ記述言語で記述された情報から第１の画像を生成し，
　第２の画像と前記生成された第１の画像との両方を含む画像から，コンピュータにおいて，ユーザにより選択された画像の印刷を行うもの。
　
【相違点】
（１）発明のカテゴリーとして，本願発明が，電子文書作成装置の「電子文書作成方法」という方法発明であり，その構成が「ステップ」で特定されるものであるのに対し，引用発明は，文書作成部を有する「ファイルサーバ」という装置発明である点。
　
（２）「ページ記述言語で記述された情報」について，本願発明は「ネットワーク手段を介してコンピュータから受信される」ものであるのに対し，引用発明は，ファイルサーバが有する文書作成部で作成されたものである点。
　
（３）「第２の画像」として，本願発明は「原稿文書を光学的に読み取」ったものであるのに対し，引用発明ではスキャンイメージではあるものの，どのように作成されたものであるか，明確でない点。
　
（４）コンピュータにおいて，ユーザが印刷する画像を「選択」する際に，本願発明が「画像に関する情報」「を含む画像の一覧を示す一覧電子文書を作成」し，「作成された一覧電子文書をネットワーク手段介してコンピュータに提供」し，「提供された一覧電子文書に基づいて前記コンピュータに表示された前記電子文書の一覧」を用いるものであるのに対し，引用発明では特定されていない点。
　
第４　当審の判断
　上記相違点（１）について検討する。
　引用発明である「ファイルサーバ」の機能をステップとして特定し，方法発明とすることに，困難な点はない。
　
　上記相違点（２）について検討する。
　引用発明の「文書作成部」は，ファイルサーバが有する他，ネットワーク上の任意のクライアントにあってもよいとしたものであって，ファイルサーバ又はクライアントのいずれか一つに限定して設ける必然性はなく，電子文書を蓄積，出力するファイルサーバであれば，むしろ複数の装置からファイル蓄積を可能とするのが一般的である。
　そして，「電子作成部」で作成される電子文書のデータフォーマットのとしてＰＤＬ（ページ記述言語）があるのだから，引用発明において，ファイルサーバに搭載した「文書作成部」の他に，「文書作成部」をクライアント上に設け，ネットワークを介してページ記述言語で記述された電子文書を受信するよう構成することは，当業者が容易になし得たことといえる。
　
　上記相違点（３）について検討する。
　引用発明の「スキャンイメージ」は，イメージスキャナやデジタル複写機が生成するデータフォーマットであり，またイメージスキャナやデジタル複写では，原稿文書の画像を光学的に読み取ることが常識であることから，引用発明の「文書作成部」において「スキャンイメージ」を，原稿文書から光学的に読み取って作成することは，当業者が容易に想到し得たことである。
　
　上記相違点（４）について検討する。
　引用例２には，イメージデータを蓄積した後，蓄積しているイメージデータのファイル名称や縮小イメージデータをファイルリストとしてＨＴＭＬ形式で作成し（本願発明の「画像に関する情報」「を含む画像の一覧を示す一覧電子文書を作成する」ことに相当），これをネットワーク上に送出して（本願発明の「ネットワークを介して・・・一覧電子文書を提供する」ことに相当），ＷＷＷブラウザに送り，ＷＷＷブラウザ側で，ファイルリスト上のファイルを選択する（ＷＷＷブラウザが，ＨＴＭＬ形式で作成されたファイルリストをコンピュータに表示させてユーザに操作させることは自明なことであるから，本願発明の「一覧電子文書に基づいてコンピュータに表示された電子文書の一覧からユーザにより選択」することに相当）ことで，蓄積しているイメージデータを選択する技術が記載されており，このようなネットワークを介してデータ選択を行う技術を引用発明に適用し，印刷要求する際に，ファイルサーバ内に蓄積された電子文書の一覧を示すファイルリストを作成し，クライアントにネットワークを介して前記ファイルリストを提供し，クライアントにおいて，ＷＷＷブラウザで表示されたファイルリスト上で電子文書を選択するよう構成することは，当業者が容易になし得たことである。
　なお，サーバ内に蓄積された文書をネットワークを介してクライアントから利用するという引用発明や引用例２に記載された技術内容の趣旨を考えれば，ファイルリストを作成する際に，どこで作成された電子文書かを区別して，当該リストから外す必然性はなく，その全ての電子文書を対象とすることは，当然のことといえる。
　
　そして，これら相違点を総合的に考慮してみても当業者が推考し難い格別のものであるとすることはできず，本願発明の奏する効果を検討してみても，引用発明及び引用例２に記載された技術，周知技術それ自体の効果であって各相違点の組合せによって新たな効果を奏するものではない。
　
第５　むすび
　以上のとおり，本願の請求項１６に係る発明は，審判合議体が通知した引用例１及び２に記載された発明及び周知技術に基づいて，当業者が容易に発明をすることができたものであるから，特許法第２９条第２項の規定により特許を受けることができない。
　したがって，本願は，他の請求項について検討するまでもなく拒絶すべきものである。
　よって，原査定を取り消す，この出願の発明は特許すべきものであるとする審判請求の趣旨は認められないから，結論のとおり審決する。